(57)【要約】      （修正有）【課題】コンテナへのロックの強度を従来より高くすることが可能な蓋体を提供する。【解決手段】本発明の蓋体では、ロック部材４０のロック突片４２のうち、ロック部材４０の回動の中心ＣＬ１側の先端角部を斜め下方に曲げて傾斜ガイド部５３が形成されているので、ロック部材４０が第１回動位置まで回動したときに、ロック部材４０の先端部のうち中心ＣＬ１側の先端角部以外の部分を上端フランジに深く係合させることができる。これにより、ロック部材４０による蓋体のコンテナへのロックの強度を従来より高くすることができる。【選択図】図９
2019108147.tif 000002
【特許請求の範囲】
【請求項１】
コンテナの上端フランジの上面に重なり、前記コンテナの上面開口を閉塞する蓋本体部と、
前記蓋本体部の外縁部に支持されて、第１回動位置と第２回動位置との間を水平に回動するロック部材と、
前記ロック部材に設けられ、前記第１回動位置で前記上端フランジの下面に重なり、前記第２回動位置で前記上端フランジの側方に位置するロック突片と、
前記ロック突片のうち回動中心側の先端角部を、その先端角部を横切る折り曲げ線で斜め下方に曲げてなる傾斜ガイド部と、を備える蓋体。
【請求項２】
前記傾斜ガイド部の先端は、前記折り曲げ線と略平行に面取りされている請求項１に記載の蓋体。
【請求項３】
前記ロック部材には、
前記ロック突片に上方から対向し、前記ロック突片との間に前記上端フランジ及び前記蓋本体部を受容可能な上部係合片と、
前記上端フランジの側面に宛がわれ、前記上部係合片及び前記ロック突片を支持する側部壁と、
前記上部係合片の一部を片持ち梁状に切り離してなり、前記ロック部材の回動中心回りの円弧に沿って延びる弾性係合片と、
前記弾性係合片の側面に突出形成又は陥没形成された係合部と、
前記蓋本体部に設けられ、前記ロック部材が前記第１回動位置に位置したときに前記係合部と係合する第１被係合部と、を備える請求項１又は２に記載の蓋体。
【請求項４】
前記蓋本体部に設けられ、前記ロック部材が前記第２回動位置に位置したときに前記係合部と係合する第２被係合部を備える請求項３に記載の蓋体。
【請求項５】
前記弾性係合片は、前記ロック部材が前記第１回動位置から前記第２回動位置に向かって回動する側が先端部になるように延び、
前記蓋本体部の一部として設けられて上下方向で対向して、間に前記上部係合片を受容する上支持壁及び下支持壁と、
前記上部係合片に形成されて、前記弾性係合片の先方に位置し、前記上支持壁と前記下支持壁との間に進退する先端対向壁と、
前記先端対向壁に形成されて、前記弾性係合片に近づくに従って下方に向かうように傾斜した進入ガイド部と、を有する請求項３又は４の蓋体。
【請求項６】
前記蓋本体部の外縁部から垂下し、前記上端フランジの外側に嵌合すると共に、前記ロック突片が貫通する貫通孔を有する嵌合部が備えられ、
前記ロック部材が前記第２回動位置に位置したときに、前記傾斜ガイド部の先端が、前記嵌合部の内側面から延長された面上か又はそれより外側に位置する請求項１乃至５の何れか１の請求項に記載の蓋体。
【発明の詳細な説明】
【技術分野】
【０００１】
本発明は、コンテナの上端フランジにロック部材を係合させて、コンテナの上面開口を閉塞した状態にロックされる蓋体に関する。
【背景技術】
【０００２】
従来、この種の蓋体として、ロック部材が蓋体にスライド係合していて、ロック部材に備えたロック突片がコンテナの上端フランジの下面に係合するものが知られている。そのロック部材のスライド操作をスムーズに行うために、ロック突片には、先端縁を斜め下方に折り曲げてなる先端ガイド部が備えられている（例えば、特許文献１参照）。
【先行技術文献】
【特許文献】
【０００３】
【特許文献１】実開昭６１−９１５４７号公報（第３図、第５図）
【発明の概要】
【発明が解決しようとする課題】
【０００４】
しかしながら、上記した従来の蓋体の構造では、先端ガイド部を設けたことで、ロック突片と上端フランジとの係合が浅くなってロックの強度が低くなる虞が生じ得た。
【０００５】
本発明は、上記事情に鑑みてなされたもので、コンテナへのロックの強度を従来より高くすることが可能な蓋体の提供を目的とする。
【課題を解決するための手段】
【０００６】
上記目的を達成するためになされた請求項１の発明は、コンテナの上端フランジの上面に重なり、前記コンテナの上面開口を閉塞する蓋本体部と、前記蓋本体部の外縁部に支持されて、第１回動位置と第２回動位置との間を水平に回動するロック部材と、前記ロック部材に設けられ、前記第１回動位置で前記上端フランジの下面に重なり、前記第２回動位置で前記上端フランジの側方に位置するロック突片と、前記ロック突片のうち回動中心側の先端角部を、その先端角部を横切る折り曲げ線で斜め下方に曲げてなる傾斜ガイド部と、を備える蓋体である。
【０００７】
請求項２の発明は、前記傾斜ガイド部の先端は、前記折り曲げ線と略平行に面取りされている請求項１に記載の蓋体である。
【０００８】
請求項３の発明は、前記ロック部材には、前記ロック突片に上方から対向し、前記ロック突片との間に前記上端フランジ及び前記蓋本体部を受容可能な上部係合片と、前記上端フランジの側面に宛がわれ、前記上部係合片及び前記ロック突片を支持する側部壁と、前記上部係合片の一部を片持ち梁状に切り離してなり、前記ロック部材の回動中心回りの円弧に沿って延びる弾性係合片と、前記弾性係合片の側面に突出形成又は陥没形成された係合部と、前記蓋本体部に設けられ、前記ロック部材が前記第１回動位置に位置したときに前記係合部と係合する第１被係合部と、を備える請求項１又は２に記載の蓋体である。
【０００９】
請求項４の発明は、前記蓋本体部に設けられ、前記ロック部材が前記第２回動位置に位置したときに前記係合部と係合する第２被係合部を備える請求項３に記載の蓋体である。
【００１０】
請求項５の発明は、前記弾性係合片は、前記ロック部材が前記第１回動位置から前記第２回動位置に向かって回動する側が先端部になるように延び、前記蓋本体部の一部として設けられて上下方向で対向して、間に前記上部係合片を受容する上支持壁及び下支持壁と、前記上部係合片に形成されて、前記弾性係合片の先方に位置し、前記上支持壁と前記下支持壁との間に進退する先端対向壁と、前記先端対向壁に形成されて、前記弾性係合片に近づくに従って下方に向かうように傾斜した進入ガイド部と、を有する請求項３又は４の蓋体である。
【００１１】
請求項６の発明は、前記蓋本体部の外縁部から垂下し、前記上端フランジの外側に嵌合すると共に、前記ロック突片が貫通する貫通孔を有する嵌合部が備えられ、前記ロック部材が前記第２回動位置に位置したときに、前記傾斜ガイド部の先端が、前記嵌合部の内側面から延長された面上か又はそれより外側に位置する請求項１乃至５の何れか１の請求項に記載の蓋体である。
【発明の効果】
【００１２】
請求項１の蓋体では、ロック部材が第２回動位置から第１回動位置へと回動し、ロック突片が、傾斜ガイド部をガイドにしてコンテナの上端フランジの下面に重なり、蓋体をコンテナにロックする。ここで、傾斜ガイド部が、ロック突片の回動中心側の先端角部を、その先端角部を横切る折り曲げ線で斜め下方に曲げてなるので、ロック部材を第１回動位置まで回動させたときに、ロック突片の先端部のうち回動の中心側の先端角部以外の部分を上端フランジに深く係合させることができる。これにより、ロック突片と上端フランジとの係合が従来より深くなり、コンテナに対する蓋のロックの強度を従来より高くすることができる。
【００１３】
請求項２の蓋体では、傾斜ガイド部の先端が、折り曲げ線と略平行に面取りされているので、ロック部材が第２回動位置に配置された際の傾斜ガイド部の上端フランジ側への突出量が抑えられる。これにより、第１回動位置と第２回動位置との間の回動角度を抑えることができる。
【００１４】
請求項３の蓋体では、ロック部材を第１回動位置に係止させるための弾性係合片が、ロック部材の回動中心回りの円弧に沿って延びているので、ロック部材全体をコンパクトにしながらも弾性係合片を長くすることができ、弾性変形に伴う負荷が分散されて耐久性が高くなる。
【００１５】
請求項４の蓋体では、弾性係合片の係合部と第２被係合部との係合によりロック部材が安定して第２回動位置に保持される。
【００１６】
請求項５の蓋体では、ロック部材の上部係合片が、下支持壁と上支持壁とに上下方向から挟まれるので、ロック部材の回転が安定する。また、弾性係合片は、その先方に位置する上部係合片の先端対向壁によって保護される。さらに、その先端対向壁には弾性係合片に近づくに従って下方に向かうように傾斜した進入ガイド部が備えられているので、先端対向壁をスムーズに上支持壁と下支持壁との間に進入させることができる。
【００１７】
請求項６の蓋体では、ロック部材が第２回動位置に位置したときに、ロック突片のうち上端フランジに最も近い部位が、上端フランジの外側に嵌合する嵌合部の内側面から延長された面上か又はそれより外側に位置するので、コンテナに対する蓋体の脱着時に上端フランジとロック部材との干渉が確実に防がれる。
【図面の簡単な説明】
【００１８】
【図１】本発明の一実施形態に係る蓋体とコンテナのロック状態の斜視図
【図２】蓋体とコンテナのロック解除状態の斜視図
【図３】蓋体の裏面側の斜視図
【図４】蓋体とコンテナのロック状態の側断面図
【図５】蓋体とコンテナのロック解除状態の側断面図
【図６】回動支持部の拡大斜視図
【図７】回動支持部を下方から見た一部破断の拡大斜視図
【図８】ロック部材の上面側の斜視図
【図９】ロック部材の下面側の斜視図
【図１０】第２回動位置のロック部材と回動支持部の斜視図
【図１１】第１回動位置のロック部材と回動支持部の斜視図
【図１２】（Ａ）第２回動位置のロック部材と回動支持部の平面図，（Ｂ）第１回動位置のロック部材と回動支持部の平面図
【図１３】（Ａ）第２回動位置のロック部材と回動支持部の平断面図，（Ｂ）第１回動位置のロック部材と回動支持部の平断面図
【図１４】（Ａ）第２回動位置のロック部材と回動支持部の底断面図，（Ｂ）第１回動位置のロック部材と回動支持部の底断面図
【図１５】第１と第２の回動位置の間のロック部材と回動支持部の底断面図
【図１６】（Ａ）第２実施形態の回動支持部とロック部材の上側斜視図，（Ｂ）その下側斜視図
【図１７】（Ａ）第３実施形態の回動支持部とロック部材の上側斜視図，（Ｂ）その下側斜視図
【図１８】（Ａ）第２回動位置のロック部材の斜視図，（Ｂ）第１回動位置のロック部材の斜視図
【発明を実施するための形態】
【００１９】
［第１実施形態］
以下、本発明の一実施形態を図１〜図１５に基づいて説明する。図１には、本発明に係る蓋体１０がコンテナ９０に装着された状態が示されている。コンテナ９０は、平面形状が長方形で上面が開放した直方体状をなし、その上端から側方に上端フランジ９１が張り出すと共に、下端から側方に下端フランジ９２が張り出している。また、コンテナ９０の四隅のコーナー部及びそれらの近傍には、上下方向に延びて上端フランジ９１と下端フランジ９２との間を連絡する縦リブ９３が備えられている。さらに、コンテナ９０の下面の略全体には、下端フランジ９２の下面より下方に突出する図示しない下面突部が備えられ、コンテナ９０，９０同士を段積みしたときに、下段側のコンテナ９０の上面開口９０Ｋに、上段側のコンテナ９０の下面突部が嵌合して上下のコンテナ９０，９０の横ずれが規制される。
【００２０】
蓋体１０は、コンテナ９０の上端フランジ９１の上面に重なる蓋本体部１１から、上端フランジ９１の外側に嵌合される嵌合部１２が垂下した構造をなしている。蓋本体部１１には、その外縁部に沿って土手部１３が形成されている。その土手部１３は、下面開放の断面角溝状をなしている。そして、蓋体１０の上にコンテナ９０を段積みすると、そのコンテナ９０を下面突部が土手部１３の内側に嵌合して横ずれが規制される。
【００２１】
蓋本体部１１のうち土手部１３の外側部分は、水平な外縁水平部１４となって土手部１３全体を取り囲み、その外縁水平部１４によって土手部１３と外縁水平部１４との間に段差が形成されている。蓋本体部１１のうち土手部１３より内側部分は、水平な内側水平部１５をなし、外縁水平部１４より僅かに上方に位置している。また、図３に示すように、内側水平部１５の下面のうち土手部１３から僅かに内側にずれた位置からは、枠形リブ１６が垂下され、その枠形リブ１６の下端部は、外縁水平部１４より下方に位置している（図４参照）。
【００２２】
図３に示すように、土手部１３の内部には、土手部１３を幅方向に横切るように複数の補強リブ１７が形成され、それら補強リブ１７の下面は、外縁水平部１４の下面と面一になっている。また、補強リブ１７の幅方向の一端部は枠形リブ１６まで延長され、その延長部分が内側水平部１５の下面から突出している。そして、図４に示すように、コンテナ９０の上端フランジ９１が、蓋体１０の嵌合部１２と枠形リブ１６との間に嵌合され、蓋本体部１１の一部を構成する補強リブ１７、外縁水平部１４及び後述する下支持壁１５Ｗの下面が、上端フランジ９１の上面に重なる。
【００２３】
図１及び図２に示すように、蓋体１０の外縁部のうち１対の長辺の両端寄り位置の計４箇所には回動支持部１８が設けられ、それら回動支持部１８にロック部材４０が回動可能に取り付けられている。また、回動支持部１８には、互いに対称な２種類が備えられ、それら回動支持部１８が、蓋体１０の縦横両方向で対称となるように配置されている。これに対応してロック部材４０にも互いに対称な２種類が備えられている。
【００２４】
図６に示すように回動支持部１８には、嵌合部１２を貫通する貫通孔１９と、土手部１３を分断する分断部１３Ａとが備えられている。貫通孔１９は、横長の長方形をなし、嵌合部１２の下端寄り位置から外縁水平部１４に亘って形成されている。
【００２５】
分断部１３Ａは、土手部１３の一部を貫通孔１９の横方向の全長より長く分断してなる。また、図１に示すように、分断部１３Ａ及び貫通孔１９のうち蓋体１０のコーナー部に近い側の一端は、蓋体１０の長手方向で概ね同じ位置に配置されている。
【００２６】
図６に示すように、分断部１３Ａを挟んで対向する土手部１３の分断面１３Ｂ，１３Ｃの間には、上支持壁２０が差し渡されている。上支持壁２０は、帯板状をなして分断面１３Ｂ，１３Ｃの下端寄り位置に配置されている。上支持壁２０の幅は、一端部を除いて土手部１３の幅より小さくなっていて、上支持壁２０の外側の側面は、土手部１３の外側の側面より内側にずれ、上支持壁２０の内側の側面は、土手部１３の内側の側面と面一になっている。そして、上支持壁２０のうち蓋体１０のコーナー部側の一端部を段付き状に幅広にして拡張部２０Ｂが形成され、その拡張部２０Ｂの外側の側面と、土手部１３の外側の側面とが面一になっている。
【００２７】
拡張部２０Ｂから離れた側の一方の分断面１３Ｃの両側縁部と上支持壁２０の上面の両側縁部との間は１対のリブ２１，２１にて連絡されている。それらリブ２１，２１の上面は、土手部１３の上面より下方に位置し、分断面１３Ｃから水平に延び、途中から徐々に低くなるように傾斜している。なお、リブ２１，２１の先端は、貫通孔１９における分断面１３Ｃ側の端部に略重なる位置に配置されている。
【００２８】
上支持壁２０のうちリブ２１，２１に挟まれた部分には、円弧状の回動係合溝２２が形成されている。その回動係合溝２２の円弧を一部に含む円の中心ＣＬ１（以下、同様の説明の際には、単に「円弧の中心」という）は、図１２（Ａ）に示すように、外側のリブ２１の外側面と分断面１３Ｃとが交差する角部の近傍で、上支持壁２０及びリブ２１より外側に位置している。また、上支持壁２０のうち貫通孔１９に対応する部分には、外側から上支持壁２０の一部を湾曲形状に切除してなる湾状切欠２０Ａが備えられている。
【００２９】
蓋本体部１１のうち上支持壁２０に覆われている部分は、外縁水平部１４と上面が面一の下支持壁１５Ｗになっている。下支持壁１５Ｗは、蓋本体部１１のうち土手部１３より内側部分まで延長されて内側水平部１５との間に段差面２４を有する。そして、その段差面２４より内側部分が、後述する上面押え片４５を受容するための第１受容凹部２４Ｘになっている。
【００３０】
段差面２４には、嵌合部１２から最も離れた部分に位置して上支持壁２０の長手方向に延びる第１直線部２４Ａと、第１直線部２４Ａにおける回動係合溝２２側の一端部に直交して上支持壁２０の下方位置まで延びる第２直線部２４Ｂと、第１直線部２４Ａにおける他端部に斜めに交差し、上支持壁２０の下方位置まで全体的に湾曲して延びる円弧部２４Ｃとが備えられている。
【００３１】
図７に示すように、円弧部２４Ｃの全体は、前述の回動係合溝２２と同心の円弧状をなしている。また、円弧部２４Ｃの長手方向の途中位置には、第１被係合部２５が形成されている。第１被係合部２５は、円弧部２４Ｃの一部を外側に屈曲させてなり、その第１被係合部２５の内面は、円弧部２４Ｃ全体に対して傾斜した傾斜面を左右対称に備えた台形状になっている。また、円弧部２４Ｃのうち上支持壁２０側の端部には、第２被係合部２６が形成されている。第２被係合部２６は、円弧部２４Ｃの端部をクランク状に外側に屈曲させてなり、その段差部分は傾斜面になっている。
【００３２】
図６に示すように、上支持壁２０の回動係合溝２２を有する側の端部寄り位置には、上支持壁２０と下支持壁１５Ｗとの間を連絡する架橋支持壁２７が設けられ、その架橋支持壁２７の一側面が第２直線部２４Ｂの一部をなしている。
【００３３】
架橋支持壁２７を挟んで第１受容凹部２４Ｘの反対側には、上支持壁２０と下支持壁１５Ｗとが隙間を空けて対向する第２受容凹部２４Ｙが形成されている。その第２受容凹部２４Ｙは、嵌合部１２側が開放し、嵌合部１２から離れた側は、内側水平部１５と下支持壁１５Ｗとの間の段差面２４Ｄ（図７参照）によって閉塞されている。
【００３４】
なお、図７に示すように、上支持壁２０のうち下面の外側縁部には、湾状切欠２０Ａと分断面１３Ｃとの間に全体に面取斜面２０Ｃが形成されている。そして、架橋支持壁２７の端部は、その面取斜面２０Ｃの手前に位置している。また、回動係合溝２２の延長線上には、導入溝２２Ａが延びて面取斜面２０Ｃを横切っている。
【００３５】
上支持壁２０のうち湾状切欠２０Ａの奥部中央の下面には、ストッパ突部２３が形成されている。ストッパ突部２３は、湾状切欠２０Ａ側に傾斜面を有し、湾状切欠２０Ａと反対側に垂直面を有する台形状をなしている。
【００３６】
次ぎに、ロック部材４０について説明する。図８に示すように、ロック部材４０は、上下方向で対向する上部係合片４１とロック突片４２とを側部壁４３にて連絡した所謂溝形構造をなしている。そして、図４に示すように、上部係合片４１が下支持壁１５Ｗの上面に重ねられる一方、ロック突片４２が上端フランジ９１の下面に重ねられて蓋体１０をコンテナ９０にロックする。
【００３７】
具体的には、図８に示すように、上部係合片４１は、横方向に延びて全長が土手部１３の分断面１３Ｂ，１３Ｃの間隔より僅かに短いベース部４１Ｋと、ベース部４１Ｋから横並びになって突片状に張り出す上面押え片４５及び回動支持片４６とを備える。また、ベース部４１Ｋの上面からは操作リブ４４が起立してベース部４１Ｋの長手方向全体に亘って延びている。そして、図１３（Ｂ）に示すように、上面押え片４５が第１受容凹部２４Ｘに収まる一方、回動支持片４６が第２受容凹部２４Ｙに収まり、図１１に示すように、操作リブ４４が、上支持壁２０のうち拡張部２０Ｂを除く全体の外側の側面に宛がわれる。このときの、蓋体１０に対するロック部材４０の位置が本発明に係る第１回動位置に相当する。
【００３８】
図８に示すように、回動支持片４６の上面には、係合突条５２が備えられている。係合突条５２は、回動係合溝２２と曲率変形が略同一で回動係合溝２２より短い円弧状をなしている。また、係合突条５２の幅は、回動係合溝２２より僅かに小さくなっている。さらに、係合突条５２の円弧の中心は、操作リブ４４のうち回動支持片４６側の端面と上支持壁２０側を向いた側面とが交差する角部に配置されている。そして、図１２（Ａ）及び図１２（Ｂ）に示すように、上支持壁２０の回動係合溝２２に係合して、ロック部材４０が回動支持部１８に回動可能に支持されている。また、係合突条５２が回動係合溝２２に係合することで回動係合溝２２の円弧の中心ＣＬ１と、係合突条５２の円弧の中心とが同じになっている。以下、係合突条５２の円弧の中心も、ロック部材４０の中心も、回動係合溝２２の円弧の中心ＣＬ１と同じ符号を付して「中心ＣＬ１」という。
【００３９】
なお、図８に示すように、係合突条５２を回動係合溝２２に係合させるために、係合突条５２の一端部は徐々に低くなるように傾斜した傾斜面５２Ａになっている。そして、傾斜面５２Ａを前述の上支持壁２０の導入溝２２Ａ（図７参照）に臨ませた状態でロック部材４０を回動させることで、上支持壁２０を僅かに上方に弾性変形させながら係合突条５２を回動係合溝２２内に押し込むことができる。
【００４０】
回動支持片４６の外縁部には、中心ＣＬ１から離れた側に円弧状の側面４６Ａが備えられている。また、その側面４６Ａの反対側の側面４６Ｂは、ベース部４１Ｋの長手方向と直交する方向に延び、それら側面４６Ａ，４６Ｂに挟まれた回動支持片４６の先端面４６Ｃはベース部４１Ｋの長手方向と平行に延びている。そして、図１３（Ｂ）に示すように、ロック部材４０が第１回動位置に配置されると、側面４６Ｂが第２受容凹部２４Ｙの内側面に隣接するか面当接する。
【００４１】
図８に示すように、上面押え片４５は、回動支持片４６に概ね相似し、回動支持片４６より大きくなっている。即ち、上面押え片４５は、回動支持片４６と同様に、中心ＣＬ１から離れた側に円弧状の側面４５Ａを備えると共に、その反対側にベース部４１Ｋの長手方向と直交する方向に延びる側面４５Ｂを備え、さらに、先端にベース部４１Ｋの長手方向と平行な先端面４５Ｃを備えている。また、上面押え片４５の側面４５Ａと回動支持片４６の側面４６Ａは、前述の中心ＣＬ１を共通の中心とする同心の円弧になっている。さらに、上面押え片４５の外形は、第１受容凹部２４Ｘと略同一で、図１３（Ｂ）に示すように、ロック部材４０が第１回動位置に配置されたときに、上面押え片４５が第１受容凹部２４Ｘに丁度収まる。
【００４２】
図８に示すように、上面押え片４５の上面には、中心ＣＬ１を中心とする円弧状の上面溝５０が形成されている。上面溝５０の一端部は、上面押え片４５の側面４５Ｂに開口し、上面溝５０の一端寄り位置を回動規制リブ５１が横切っている。そして、図１３（Ａ）に示すように、ストッパ突部２３が上面溝５０の他端部と回動規制リブ５１との間に係合して、ロック部材４０が第２回動位置に位置すると、ストッパ突部２３の垂直面が回動規制リブ５１に隣接するか当接してロック部材４０が第２回動位置より外側に回動することを規制する。
【００４３】
図８に示すように、上面押え片４５のうち上面溝５０より回動中心から離れた位置には、中心ＣＬ１を中心とする円弧状のスリット４５Ｓが形成され、そのスリット４５Ｓのベース部４１Ｋ側の一端部が屈曲して側面４５Ａに開放し、上面押え片４５の一部が弾性係合片４７として切り離されている。また、弾性係合片４７の先端寄り位置からは、側方に向かって係合突部４８（本発明の「係合部」に相当する）が突出している。その係合突部４８は、第１被係合部２５に対応した台形状になっている。そして、図１３（Ｂ）に示すように、ロック部材４０が第１回動位置に配置された状態で係合突部４８が第１被係合部２５に係合し、そこからロック部材４０が外側に回動してロック部材４０が第２回動位置に至ると、図１３（Ａ）に示すように、係合突部４８が第２被係合部２６に係合する。また、このとき、図１２（Ａ）に示すように、係合突条５２及び回動係合溝２２の一端部同士が当接するか隣接する。
【００４４】
なお、図８に示すように、上面押え片４５のうち弾性係合片４７の先端が突き合わされる先端対向壁４９の上面には、弾性係合片４７側に向かって下る進入ガイド部４９Ａが形成されている。また図９に示すように上面押え片４５及び回動支持片４６の両下面には、ベース部４１Ｋの長手方向と直交する方向に延びる摺接突条４１Ｔが備えられている。
【００４５】
図８に示すように、側部壁４３は、横長の四角形をなして、ベース部４１Ｋから垂下している。その側部壁４３の横方向の一端部は上面押え片４５と回動支持片４６との間の中間に位置する一方、他端部は上面押え片４５の側面４５Ａと面一になっている。そして、図１１に示すように、ロック部材４０が第１回動位置に位置したときに、側部壁４３が貫通孔１９に丁度収まり、図１２（Ｂ）に示すように、側部壁４３の外面が嵌合部１２の外面と面一かそれより内側に位置する。
【００４６】
図９に示すように、ロック突片４２は、側部壁４３と同じ横幅の長方形をなして水平に延びている。また、ロック突片４２の平面形状である長方形のうちロック部材４０の回動の中心ＣＬ１側の先端角部は、その先端角部を直線状に横切る折り曲げ線ＣＬ２で下方に折り曲げられて傾斜ガイド部５３が形成されている。また、その傾斜ガイド部５３の先端は、折り曲げ線ＣＬ２と平行に面取りされている。
【００４７】
詳細には、図５に示すように傾斜ガイド部５３は、ロック突片４２の上面に対して傾斜したガイド面５３Ａと、そのガイド面５３Ａの裏側に位置しかつガイド面５３Ａと平行な裏面５３Ｄと、水平な下面５３Ｂと、下面５３Ｂと直交し、折り曲げ線ＣＬ２と平行な先端面５３Ｃとを有する。そして、ロック部材４０が第２回動位置に配置されたときに（図５に示した状態）、傾斜ガイド部５３の先端面５３Ｃが嵌合部１２の貫通孔１９内で、嵌合部１２の内側面より僅かに外側に位置する。
【００４８】
本実施形態の蓋体１０の構成に関する説明は以上である。次ぎに、本実施形態の蓋体１０の作用効果について説明する。蓋体１０をコンテナ９０に取り付けるには、図２に示すように、全てのロック部材４０を第２回動位置に配置して蓋体１０をコンテナ９０の上面に載置する。
【００４９】
このとき、ロック部材４０は第２回動位置に配置されると蓋体１０内にロック部材４０は突出しない状態になる。詳細には、図１３（Ａ）に示すように、ロック部材４０は、係合突部４８と第２被係合部２６との係合によって第２回動位置に保持され、その第２回動位置では、図１４（Ａ）に示すように、ロック部材４０のロック突片４２が、蓋体１０の嵌合部１２内に突出しない状態になる。これにより、上端フランジ９１の先端がロック突片４２の先端に引っ掛かることなく蓋体１０をコンテナ９０の上面にスムーズに載置することができる。しかも、ロック突片４２は、嵌合部１２内に突出しないだけではなく、図５に示すように、ロック突片４２のうち最も上端フランジ９１側に位置する傾斜ガイド部５３の先端面５３Ｃが、嵌合部１２の貫通孔１９内、即ち、嵌合部１２の外側面と内側面との間に位置するので、ロック突片４２と嵌合部１２の外側面との間に異物が挟まることが防がれる。
【００５０】
蓋体１０がコンテナ９０の上に載置されると、図５に示すように、コンテナ９０の上端部が蓋体１０の嵌合部１２の内側に嵌合され、コンテナ９０の上端フランジ９１の上面に蓋体１０の外縁部が重なる。蓋体１０をコンテナ９０にロックするには、この状態でロック部材４０を第１回動位置まで回動させればよい。具体的には、第２回動位置のロック部材４０の側部壁４３又は操作リブ４４を側方から押せばよい。
【００５１】
すると、係合突部４８が第２被係合部２６の段差部分に乗り上がって弾性係合片４７が弾性変形し、係合突部４８と第２被係合部２６との係合が解除される。そして、図１５に示すように、ロック突片４２が傾斜ガイド部５３側から上端フランジ９１に接近し、ガイド面５３Ａが上端フランジ９１に摺接してロック突片４２が上端フランジ９１の下方に入り込む。
【００５２】
ロック部材４０が第１回動位置に至ると、図１１に示すように、ロック部材４０の側部壁４３が嵌合部１２と平行になって貫通孔１９内丁度収まり、貫通孔１９が側部壁４３によって閉じられた状態になる。また、図１３（Ｂ）に示すように、弾性係合片４７の係合突部４８が第１被係合部２５に係合してロック部材４０が第１回動位置に保持される。そして、図４に示すように、ロック部材４０の上部係合片４１とロック突片４２とにより、蓋本体部１１の下支持壁１５Ｗとコンテナ９０の上端フランジ９１とが上下方向で挟まれた状態になって蓋体１０がコンテナ９０にロックされる。
【００５３】
なお、蓋体１０をコンテナ９０から取り外すには、上記操作を逆の順序の操作を行えばよい。その際、操作リブ４４のうち上支持壁２０の湾状切欠２０Ａに対応する部分に指を宛がえば、指先を湾状切欠２０Ａ内に突入させる位置まで深く操作リブ４４に係合させて、ロック部材４０を容易に図１０に示した第２回動位置まで回動させることができる。
【００５４】
上述したように本実施形態の蓋体１０では、ロック部材４０のロック突片４２に備えた傾斜ガイド部５３が、ロック突片４２の回動の中心ＣＬ１側の先端角部を、その先端角部を横切る折り曲げ線ＣＬ２で斜め下方に曲げてなるので、ロック部材４０を第１回動位置まで回動させたときに、ロック突片４２の先端部のうち回動の中心ＣＬ１側の先端角部以外の部分を上端フランジ９１に深く係合させることができる。これにより、ロック突片４２と上端フランジとの係合が従来より深くなり、コンテナ９０に対する蓋１０のロックの強度を従来より高くすることができる。
【００５５】
換言すれば、図４に示すようにコンテナ９０の上端フランジ９１に対して蓋体１０の嵌合部１２及び枠形リブ１６の嵌合が緩くても、蓋体１０をコンテナ９０にロックすることができ、サイズが僅かずつ異なる複数種類のコンテナ９０に蓋体１０を兼用して使用することが可能になる。
【００５６】
また、蓋体１０では、傾斜ガイド部５３の先端が、折り曲げ線ＣＬ２と略平行に面取りされているので、ロック部材４０が第２回動位置に配置された際の傾斜ガイド部５３の上端フランジ９１側への突出量が抑えられる。これにより、第１回動位置と第２回動位置との間の回動角度を抑えることができる。
【００５７】
さらには、ロック部材４０を第１回動位置及び第２回動位置に係止するための弾性係合片４７が、ロック部材４０の回動の中心ＣＬ１回りの円弧に沿って延びているので、ロック部材４０全体をコンパクトにしながらも弾性係合片４７を長くすることができ、弾性変形に伴う負荷が分散されて耐久性が高くなる。
【００５８】
また、ロック部材４０に備えた上部係合片４１が、下支持壁１５Ｗと上支持壁２０とに上下方向から挟まれるので、ロック部材４０の回転が安定する。また、弾性係合片４７は、その先方に位置する上部係合片４１の先端対向壁４９によって保護される。さらに、その先端対向壁４９には弾性係合片４７に近づくに従って下方に向かうように傾斜した進入ガイド部４９Ａが備えられているので、先端対向壁４９をスムーズに下支持壁１５Ｗと上支持壁２０との間に進入させることができる。
【００５９】
［第２実施形態］
本実施形態の蓋体１０Ｖは、図１６に示されており、本実施形態のロック部材４０Ｖは、第１実施形態のロック部材４０の回動支持片４６における上面の係合突条５２（図８参照）が下面に配置された構造になっている。これに対応して、第１実施形態の回動係合溝２２が上支持壁２０ではなく下支持壁１５Ｗに形成されている。
【００６０】
また、下支持壁１５Ｗのうち第２受容凹部２４Ｙの下方部分は、第１受容凹部２４Ｘの下方部位に比べて補強のために厚肉化されて段付き状に高くなっている。これに対応して、上支持壁２０が、第１受容凹部２４Ｘと第２受容凹部２４Ｙとの間でクランク状に屈曲し、ロック部材４０Ｖの上部係合片４１が、回動支持片４６と上面押え片４５との間でクランク状に屈曲している。そして、上支持壁２０のうち第２受容凹部２４Ｙの上方部分が第１受容凹部２４Ｘの上方部位に比べて段付き状に高くなっていると共に、上部係合片４１のうち回動支持片４６が上面押え片４５に比べて段付き状に高くなっている。
【００６１】
［第３実施形態］
本実施形態の蓋体１０Ｗは、第２実施形態を変形させたもので図１７及び図１８に示されている。前記第１及び第２の実施形態の回動支持部１８では、上支持壁２０を超えて蓋本体部１１の内側まで下支持壁１５Ｗが形成されていたが、本実施形態の回動支持部１８では、図１７（Ｂ）に示すように、下支持壁１５Ｗのうち前記第１及び第２の実施形態で上支持壁２０より内側に位置していた部分が除去され、それに替えて内側水平部１５から段付き状に上方にずれた上支持壁１５Ｖが備えられて上支持壁２０に連続している。これにより、蓋体１０Ｗの上面全体の汚れ防止が図られると共に、蓋体１０Ｗの上面の拭き取り作業が容易になる。なお、図１８に示すように、上支持壁１５Ｖには、ストッパ突部２３の一部の面を成形するための型抜き孔１５Ｕが備えられている。
【００６２】
なお、第１〜第３の実施形態の蓋体１０，１０Ｖ，１０Ｗのうち蓋本体部１１とは、「コンテナ９０の上端フランジ９１の上面に重なり、前記コンテナ９０の上面開口９０Ｋを閉塞する」部分を意味する。よって、蓋本体部１１を構成する上記した下支持壁１５Ｗ、上支持壁１５Ｖ，２０、補強リブ１７，土手部１３等は、蓋本体部１１の一部でもある。
【００６３】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６４】
（１）前記実施形態のロック突片４２の平面形状は四角形をなし、傾斜ガイド部５３を除いたロック突片４２の先端面がロック部材４０の側部壁４３と平行になっていたが、ロック突片４２の平面形状は、四角形でなくてもよく、また、ロック突片４２の先端面は側部壁４３に対して傾斜していたり、丸みを帯びた形状になっていてもよい。
【００６５】
（２）前記実施形態の傾斜ガイド部５３の先端は、折り曲げ線ＣＬ２と平行に面取りされていたが、傾斜ガイド部５３の先端が円弧状に面取りされていてもよいし、面取り自体がされていなくてもよい。
【００６６】
（３）前記実施形態のロック部材４０の傾斜ガイド部５３の先端面５３Ｃは、ロック部材４０が第２回動位置に配置された状態で嵌合部１２の内側面より外側に位置していたが、嵌合部１２の内側面と面一であってもよいし、嵌合部１２の内側面より僅かに突出していてもよい。
【００６７】
（４）前記実施形態では、ロック部材４０が蓋体１０の縦横に対称に配置されて、全てのロック部材４０が蓋体１０のコーナー部に近い側が回動する構造になっていたが、全てのロック部材４０が蓋体１０のコーナー部から遠い側が回動する構造であってもよいし、蓋体１０のコーナー部から遠い側を中心に回動するロック部材４０と、蓋体１０のコーナー部に近い側を中心に回動するロック部材４０とが混在していてもよい。
【００６８】
また、例えば、前記実施形態の蓋体１０において、全てのロック部材４０が蓋体１０の長手方向の一方側に回動中心を有する構成としておき、搬送時に１対のレールの間に蓋体１０付きのコンテナ９０を通して、それらレールによってロック部材４０，４０を第２回動位置から第１回動位置に移動させてもよい。
【００６９】
（５）前記実施形態では、本発明の「係合部」としての係合突部４８が弾性係合片４７から側方に突出していたが、「係合部」が弾性係合片４７に陥没形成され、その係合相手の被係合部が段差面２４に突出形成されていてもよい。また、「係合部」が弾性係合片４７の上面又は下面に形成され、被係合部が下支持壁１５Ｗ又は上支持壁２０に形成されていてもよい。
【符号の説明】
【００７０】
１０，１０Ｖ，１０Ｗ    蓋体
１１    蓋本体部
１２    嵌合部
１５Ｖ  上支持壁
１５Ｗ  下支持壁
１９    貫通孔
２０    上支持壁
２２    回動係合溝
２５    第１被係合部（被係合部）
２６    第２被係合部（被係合部）
２７    架橋支持壁
４０    ロック部材
４１    上部係合片
４２    ロック突片
４３    側部壁
４７    弾性係合片
４８    係合突部（係合部）
４９    先端対向壁
４９Ａ  進入ガイド部
５３    傾斜ガイド部
９０    コンテナ
９１    上端フランジ
ＣＬ１  中心
【図１】
2019108147.tif 000003
【図２】
2019108147.tif 000004
【図３】
2019108147.tif 000005
【図４】
2019108147.tif 000006
【図５】
2019108147.tif 000007
【図６】
2019108147.tif 000008
【図７】
2019108147.tif 000009
【図８】
2019108147.tif 000010
【図９】
2019108147.tif 000011
【図１０】
2019108147.tif 000012
【図１１】
2019108147.tif 000013
【図１２】
2019108147.tif 000014
【図１３】
2019108147.tif 000015
【図１４】
2019108147.tif 000016
【図１５】
2019108147.tif 000017
【図１６】
2019108147.tif 000018
【図１７】
2019108147.tif 000019
【図１８】
2019108147.tif 000020